(57)【要約】【課題】配線を介した延焼を抑えて防炎性を向上させることができる空気調和機の室外機を提供する。【解決手段】空気調和機の室外機１は、外部からの配線が接続される端子部５１と、端子部５１を収納するケーシング本体６１と、ケーシング本体６１の外側面６３に取り付けられ開口が設けられた外面カバー部材と、延焼拡大防止部７４とを備える。延焼拡大防止部７４は、外面カバー部材の開口から外面カバー部材と外側面６３との間に形成される空間を通って端子部５１へと延びる配線１１を覆い、且つ、配線１１に圧接する難燃性のものである。【選択図】図２
2008082638.tif 000002
【特許請求の範囲】
【請求項１】
外部からの配線が接続される端子部（５１）と、
前記端子部（５１）を収納するケーシング本体（６１）と、
前記ケーシング本体（６１）の外面に取り付けられ、開口が設けられた外面カバー部材（６２）と、
前記外面カバー部材（６２）の開口から前記外面カバー部材（６２）と前記ケーシング本体（６１）との間に形成される空間を通って前記端子部（５１）へと延びる前記配線を覆い且つ前記配線に圧接する難燃性の延焼拡大防止部（７４）と、
を備える空気調和機の室外機（１）。
【請求項２】
前記延焼拡大防止部（７４）は、前記配線が延びる方向に５０ｍｍ以上の長さを有する、
請求項１に記載の空気調和機の室外機（１）。
【請求項３】
前記延焼拡大防止部（７４）は、前記配線が占める空間よりも前記配線の間の隙間が小さくなるように、前記配線を覆っている、
請求項１または２に記載の空気調和機の室外機（１）。
【請求項４】
前記延焼拡大防止部（７４）と一体的に繋がっており前記配線を案内する配線案内部（７３）をさらに備える、
請求項１から３のいずれかに記載の空気調和機の室外機（１）。
【発明の詳細な説明】
【技術分野】
【０００１】
本発明は空気調和機の室外機に関する。
【背景技術】
【０００２】
空気調和機の室外機には、通常、室外機と室内機とを繋ぐ連絡電線などの配線が接続される端子部が備えられている。また、室外機のケーシング本体の外面には外面カバー部材が取り付けられており、上記の配線は、外面カバー部材に設けられた開口から外面カバー部材とケーシング本体との間の空間を通って端子部へと延びている。従来、このような外面カバー部材は、防炎上の観点から金属材料で形成されることが多い。
【特許文献１】特開２００５−１８０７２５号公報
【発明の開示】
【発明が解決しようとする課題】
【０００３】
しかし、上記のような空気調和機の室外機では、外面カバー部材自体が燃えることは防止できても、配線を介した延焼を防止することは困難である。すなわち、室外機の内部あるいは外部の発火源により配線が燃え、配線を介して燃え広がり周囲の他の部材に燃え移る恐れがある。
【０００４】
本発明の課題は、配線を介した延焼を抑えて防炎性を向上させることができる空気調和機の室外機を提供することにある。
【課題を解決するための手段】
【０００５】
第１発明の空気調和機の室外機は、外部からの配線が接続される端子部と、端子部を収納するケーシング本体と、ケーシング本体の外面に取り付けられ開口が設けられた外面カバー部材と、延焼拡大防止部とを備える。延焼拡大防止部は、外面カバー部材の開口から外面カバー部材とケーシング本体との間に形成される空間を通って端子部へと延びる配線を覆い、且つ、配線に圧接する難燃性のものである。
【０００６】
この空気調和機の室外機では、難燃性の延焼拡大防止部によって配線が覆われ且つ圧接されている。このため、万一、配線の一部が燃えたとしても、延焼拡大防止部によって圧接されている部分で延焼の進行が止められる。これにより、この空気調和機の室外機では、配線を介した延焼を抑えて防炎性を向上させることができる。
【０００７】
第２発明の空気調和機の室外機は、第１発明の空気調和機の室外機であって、延焼拡大防止部は、配線が延びる方向に５０ｍｍ以上の長さを有する。
【０００８】
この空気調和機の室外機では、延焼拡大防止部が配線の延焼を食い止めるのに十分な長さを有している。このため、この空気調和機の室外機では、配線を介した延焼を十分に抑えることができる。
【０００９】
第３発明の空気調和機の室外機は、第１発明または第２発明の空気調和機の室外機であって、延焼拡大防止部は、配線が占める空間よりも配線の間の隙間が小さくなるように、配線を覆っている。
【００１０】
この空気調和機の室外機では、配線が占める空間よりも配線の間の隙間が小さくなるように延焼拡大防止部が配線を覆っており、延焼拡大防止部によって覆われている空間内に配線が密に配置されている。このため、延焼拡大防止部は、配線を介した延焼をより抑えることができる。
【００１１】
第４発明の空気調和機の室外機は、第１発明から第３発明のいずれかの空気調和機の室外機であって、延焼拡大防止部と一体的に繋がっており配線を案内する配線案内部をさらに備える。
【００１２】
この空気調和機の室外機では、配線案内部と延焼拡大防止部とが一体となった１つの部材によって、配線を案内することができると共に、万一、配線の一部が燃えたときに延焼の拡大を抑えることができる。
【発明の効果】
【００１３】
第１発明の空気調和機の室外機では、難燃性の延焼拡大防止部によって配線が覆われ且つ圧接されている。このため、万一、配線の一部が燃えたとしても、延焼拡大防止部によって圧接されている部分で延焼の進行が止められる。これにより、この空気調和機の室外機では、配線を介した延焼を抑えて防炎性を向上させることができる。
【００１４】
第２発明の空気調和機の室外機では、延焼拡大防止部が配線の延焼を食い止めるのに十分な長さを有している。このため、この空気調和機の室外機では、配線を介した延焼を十分に抑えることができる。
【００１５】
第３発明の空気調和機の室外機では、配線が占める空間よりも配線の間の隙間が小さくなるように延焼拡大防止部が配線を覆っており、延焼拡大防止部によって覆われている空間内に配線が密に配置されている。このため、延焼拡大防止部は、配線を介した延焼をより抑えることができる。
【００１６】
第４発明の空気調和機の室外機では、配線案内部と延焼拡大防止部とが一体となった１つの部材によって、配線を案内することができると共に、万一、配線の一部が燃えたときに延焼の拡大を抑えることができる。
【発明を実施するための最良の形態】
【００１７】
＜構成＞
〔全体構成〕
本発明の一実施形態にかかる空気調和機の室外機１を図１および図２に示す。図１は、室外機１の外観図であり、図２は、ケーシング本体６１から外面カバー部材６２を取り外した状態の室外機１および内部構成を示す概略図である。この室外機１は、室外熱交換器２、圧縮機３、送風ファン４、膨張機構（図示せず）、電装品ユニット５およびこれらを収納する室外機ケーシング６（図１参照）などを備えている。
【００１８】
室外熱交換器２と圧縮機３とは、膨張機構、室内機内に配置される室内熱交換器などと共に冷媒回路を構成する。送風ファン４は、室外の空気をケーシング本体６１内に取り込み、室外熱交換器２に通す。電装品ユニット５は、圧縮機３や膨張機構を制御するための電気制御部品を有しており、側面には外部からの連絡電線などの配線１１が接続される端子部５１が設けられている。
【００１９】
室外機ケーシング６は、図１に示すように、ケーシング本体６１と、外面カバー部材６２とを有している。
【００２０】
ケーシング本体６１は、図２に示すように、室外熱交換器２、圧縮機３、送風ファン４、膨張機構、電装品ユニット５を収納しており、その側面の外面６３（以下「外側面６３」と呼ぶ）の下部には、閉鎖弁６４，６５が取り付けられている。また、ケーシング本体６１の外側面６３の上部には、電装品ユニット５の端子部５１に接続される配線１１が通る開口６６が設けられており、その下方には配線カバー部材７が配置されている。配線カバー部材７については後に詳細に説明する。
【００２１】
外面カバー部材６２（図１参照）は、ケーシング本体６１の外側面６３に取り付けられ、閉鎖弁６４，６５、配線カバー部材７、外側面６３の開口６６などを覆う部材である。図３に示すように、外面カバー部材６２は、一側面が開放された箱状の形状を有しており、その背面には開口６７が設けられている。なお、図３は、外面カバー部材６２およびケーシング本体６１の外側面６３近傍を斜め後方から見た図である。外面カバー部材６２の開口６７は、外面カバー部材６２と外側面６３との間に形成される空間に連通しており、室内機から延びる冷媒配管６８，６９（図２参照）は、この開口６７を通って、外面カバー部材６２の内部に配置された閉鎖弁６４，６５に接続されている。また、室内機から延びる配線１１もこの開口６７から外面カバー部材６２の内部および外側面６３の開口６６を通って電装品ユニット５の端子部５１に接続されている。
【００２２】
〔配線カバー部材７の構成〕
図４〜図７に示す配線カバー部材７は、難燃性の樹脂材料から形成されており、ケーシング本体６１の外側面６３に固定されて配線１１を固定すると共に配線１１を覆って保護する部材である。配線カバー部材７は、ケーシング本体６１の外側面６３との間に配線１１が通る空間を形成するように、凹状に屈曲した断面形状を有している。また、配線カバー部材７は、外側面６３の開口６６から外面カバー部材６２の開口６７まで配線１１を案内するように、緩やかに約９０°に屈曲したＬ字型の外径を有しており、図４に示すように、配線カバー部材７の両側部に沿って、外側面６３に接触して固定されるフランジ部７１，７２が設けられている。配線カバー部材７は、配線１１を案内する方向に沿って並んで配置される配線案内部７３と延焼拡大防止部７４とを有する。
【００２３】
配線案内部７３は、延焼拡大防止部７４と一体的に繋がっており配線１１を案内する部分である。図５に示すように、配線案内部７３は、前後方向に延びた水平部分７５と鉛直方向に延びた鉛直部分７６とが９０°の円弧で繋がった形状を有している。配線案内部７３の水平部分７５の先端すなわち後端部７７は、配線１１の出入口となっており、外面カバー部材６２の開口６７に面して配置されている（図３参照）。配線案内部７３の鉛直部分７６の先端すなわち上端部は、延焼拡大防止部７４に繋がっており、外側面６３との間の距離が上側ほど小さくなるように傾斜した傾斜面７８となっている。なお、配線案内部７３においては、配線１１を覆う部分と外側面６３との間の距離が配線１１の直径よりも大きい。このため、配線案内部７３は、配線１１が移動可能な程度の空間的余裕を持って配線１１を覆っている。
【００２４】
図６に示すように、延焼拡大防止部７４においては、配線１１を覆う部分と外側面６３との間の距離が配線案内部７３よりも小さくなっており、配線１１が通る空間が狭くなっている。このため、図７に示すように、延焼拡大防止部７４は、配線１１を覆うと共に配線１１に圧接する。延焼拡大防止部７４は、配線１１が占める空間よりも配線１１の間の隙間が小さくなるように配線１１を覆っている。延焼拡大防止部７４は外側面６３の開口６６に隣接して配置されており（図２および図３参照）、延焼拡大防止部７４の上端部７９は配線１１の出入口となっている。延焼拡大防止部７４の下端部は配線案内部７３に繋がっている。また、延焼拡大防止部７４は、上下方向すなわち配線１１が延びる方向に約５０ｍｍの長さＤ１を有している。
【００２５】
＜特徴＞
（１）
この空気調和機の室外機１では、難燃性の延焼拡大防止部７４によって配線１１が覆われ且つ圧接されている。このため、配線１１が燃えたとしても、配線１１の燃焼が延焼拡大防止部７４によって抑えられ、配線１１を介した延焼が延焼拡大防止部７４において止められる。これにより、この空気調和機の室外機１では、配線１１を介した延焼を抑えて防炎性を向上させることができる。
また、延焼拡大防止部７４は、配線１１が延びる方向に約５０ｍｍの長さＤ１（図５および図６参照）を有しており、さらに、配線１１が占める空間よりも配線１１の間の隙間が小さくなるように配線１１を覆っている。このため、延焼拡大防止部７４の延焼を防止する効果がより向上している。
（２）
この空気調和機の室外機１では、難燃性の配線カバー部材７が配線１１の引き回しに沿った形状となっており配線１１を覆っている。これにより、配線１１が燃えたとしても、配線１１から他の部材への燃え移りを抑えることができ、防炎性が向上している。
（３）
この空気調和機の室外機１では、配線カバー部材７によって防炎性が向上しているため、外面カバー部材６２の小型化や形状の簡略化を容易に行うことができる。
【００２６】
＜他の実施形態＞
（ａ）
上記の実施形態では、延焼拡大防止部７４と配線案内部７３とが一体されて配線カバー部材７が構成されているが、配線案内部７３が設けられず延焼拡大防止部７４のみが設けられてもよい。この場合も、延焼拡大防止部７４において配線１１を介した延焼を止めて防炎性を向上させることができる。ただし、防炎性をより向上させると共に配線１１を案内する部材を設ける観点からは、上記のように延焼拡大防止部７４と配線案内部７３とが一体化された配線カバー部材７が設けられることが望ましい。
（ｂ）
上記の実施形態では、延焼拡大防止部７４は、配線カバー部材７のうち外側面６３の開口６６に近い位置に設けられているが、他の位置に設けられてもよい。例えば、外面カバー部材６２の開口６７に隣接する位置など、外面カバー部材６２の開口６７に近い位置に配置されてもよい。ただし、ケーシング本体６１内への延焼を防止する観点からは、上記のように外側面６３の開口６６に近い位置に設けられることが望ましい。
（ｃ）
上記の実施形態では、延焼拡大防止部７４は、配線１１が延びる方向に約５０ｍｍの長さＤ１を有しているが、延焼を抑えることができる程度の長さであればよく、上記の長さに限定されるものではない。ただし、延焼を抑える効果は、配線１１が延びる方向の寸法が長い程高いため、５０ｍｍ以上の長さであることがより望ましい。
（ｄ）
上記の実施形態では、延焼拡大防止部７４は、配線１１が占める空間よりも配線１１の間の隙間が小さくなるように配線１１を覆っているが、延焼拡大防止部７４の構成はこれに限られるものではなく、配線１１が占める空間が配線１１の間の隙間と同じ又はより大きくなるように配線１１を覆っても延焼の拡大を防止することができる。ただし、延焼拡大防止部７４と外側面６３との間の空間において配線１１が密に配置されているほど延焼拡大を防止する効果が高いため、延焼拡大防止部７４は上記のような構成であることが望ましい。
（ｅ）
上記の実施形態では、配線カバー部材７は難燃性の樹脂材料から形成されているが、樹脂材料に限らず、他の難燃性材料が利用されてもよい。
【産業上の利用可能性】
【００２７】
本発明は、配線を介した延焼を抑えて防炎性を向上させることができる効果を有し、空気調和機の室外機として有用である。
【図面の簡単な説明】
【００２８】
【図１】室外機の外観図。
【図２】室外機の内部構成を示す概略図。
【図３】ケーシング本体の外側面近傍および外面カバー部材の構造を示す斜視図。
【図４】配線カバー部材の外観斜視図。
【図５】配線カバー部材の正面図。
【図６】配線カバー部材の側面図。
【図７】配線カバー部材の断面図。
【符号の説明】
【００２９】
１        空気調和機の室外機
５１      端子部
６１      ケーシング本体
６２      外面カバー部材
７３      配線案内部
７４      延焼拡大防止部
【図１】
2008082638.tif 000003
【図２】
2008082638.tif 000004
【図３】
2008082638.tif 000005
【図４】
2008082638.tif 000006
【図５】
2008082638.tif 000007
【図６】
2008082638.tif 000008
【図７】
2008082638.tif 000009